(57)【特許請求の範囲】
【請求項１】
ユーザが装着可能なウェアラブルカメラと、前記ユーザが乗車する車両に搭載された車載レコーダと、前記車両に搭載された車載カメラと、を備えるウェアラブルカメラシステムであって、
前記車載カメラは、映像を撮像する第１の撮像部を備え、
前記車載レコーダは、
通信相手としてのウェアラブルカメラとの間で通信する第１の通信部と、
前記車載カメラにより撮像された第１の映像データを録画する第１の録画部と、
前記第１の映像データに関連する第１の属性情報を、前記第１の映像データに対して付与する第１の情報付与部と、を備え、
前記ウェアラブルカメラは、
映像を撮像する第２の撮像部と、
通信相手としての車載レコーダとの間で通信する第２の通信部と、
前記第２の撮像部により撮像された第２の映像データを録画する第２の録画部と、
前記第２の映像データに関連する第２の属性情報を、前記第２の映像データに対して付与する第２の情報付与部と、を備え、
前記ウェアラブルカメラは、前記第２の録画部による録画を開始した後、前記第２の映像データに対する前記第２の属性情報の付与に連携して、前記第２の通信部から前記第２の属性情報を前記車載レコーダへ送信し、前記車載レコーダは、受信した前記第２の属性情報を前記第１の属性情報として前記第１の映像データに対して付与する、又は、
前記車載レコーダは、前記第１の録画部による録画を開始した後、前記第１の映像データに対する前記第１の属性情報の付与に連携して、前記第１の通信部から前記第１の属性情報を前記ウェアラブルカメラへ送信し、前記ウェアラブルカメラは、受信した前記第１の属性情報を前記第２の属性情報として前記第２の映像データに対して付与する、
ウェアラブルカメラシステム。
【請求項２】
請求項１に記載のウェアラブルカメラシステムであって、
前記車載レコーダ及び前記ウェアラブルカメラのいずれか一方は、前記車載レコーダ及び前記ウェアラブルカメラのいずれか一方による録画を開始した際、前記録画を開始した旨を含む録画開始情報を、前記車載レコーダ及び前記ウェアラブルカメラのいずれか他方へ送信し、
前記車載レコーダ及び前記ウェアラブルカメラのいずれか他方は、前記録画開始情報を受信した後に録画を開始する、
ウェアラブルカメラシステム。
【請求項３】
請求項１または２に記載のウェアラブルカメラシステムであって、
前記車載レコーダは、前記第１の属性情報を入力する入力装置から前記第１の属性情報を取得し、
前記ウェアラブルカメラは、前記第２の属性情報の付与操作を受け付ける操作部を備える、
ウェアラブルカメラシステム。
【請求項４】
請求項３に記載のウェアラブルカメラシステムであって、
前記第１の属性情報の種類は、前記第２の属性情報の種類よりも多い、
ウェアラブルカメラシステム。
【請求項５】
請求項３または４に記載のウェアラブルカメラシステムであって、
前記ウェアラブルカメラは、前記第２の映像データに対して、前記車載レコーダから受信された前記第１の属性情報と、前記操作部により受け付けた前記第２の属性情報と、の双方を付与する、
ウェアラブルカメラシステム。
【請求項６】
請求項３または４に記載のウェアラブルカメラシステムであって、
前記車載レコーダは、前記第１の映像データに対して、前記ウェアラブルカメラから受信された前記第２の属性情報と、前記入力装置から取得された前記第１の属性情報と、の双方を付与する、
ウェアラブルカメラシステム。
【請求項７】
ユーザが装着可能なウェアラブルカメラと、前記ユーザが乗車する車両に搭載された車載レコーダと、前記車両に搭載された車載カメラと、を備えるウェアラブルカメラシステムにおける属性情報付与方法であって、
前記車載カメラにより映像を撮像し、
前記ウェアラブルカメラにより映像を撮像し、
前記車載カメラにより撮像された第１の映像データを前記車載レコーダにより録画し、
前記ウェアラブルカメラにより撮像された第２の映像データを前記ウェアラブルカメラにより録画し、
前記ウェアラブルカメラは、前記第２の映像データの録画を開始した後、前記第２の映像データへ属性情報を付与し、前記属性情報の付与に連携して、前記属性情報を前記車載レコーダへ送信し、前記車載レコーダは、受信した前記属性情報を前記第１の映像データに対して付与する、
属性情報付与方法。
【請求項８】
ユーザが装着可能なウェアラブルカメラと、前記ユーザが乗車する車両に搭載された車載レコーダと、前記車両に搭載された車載カメラと、を備えるウェアラブルカメラシステムにおける属性情報付与方法であって、
前記車載カメラにより映像を撮像し、
前記ウェアラブルカメラにより映像を撮像し、
前記車載カメラにより撮像された第１の映像データを前記車載レコーダにより録画し、
前記ウェアラブルカメラにより撮像された第２の映像データを前記ウェアラブルカメラにより録画し、
前記車載レコーダは、前記第１の映像データの録画を開始した後、前記第１の映像データへ属性情報を付与し、前記属性情報の付与に連携して、前記属性情報を前記ウェアラブルカメラへ送信し、前記ウェアラブルカメラは、受信した前記属性情報を前記第２の映像データに対して付与する、
属性情報付与方法。
【発明の詳細な説明】
【技術分野】
【０００１】
本発明は、ウェアラブルカメラシステム及び属性情報付与方法に関する。例えば、人の体又は着用した衣服等に装着可能な撮像装置を有するウェアラブルカメラシステム及び属性情報付与方法に関する。
【背景技術】
【０００２】
近年、例えば警察官や警備員の業務を支援するために、警察官や警備員に装着されて使用されるウェアラブルカメラの導入が検討されている。
【０００３】
ウェアラブルカメラを用いた従来例として、例えば特許文献１に記載されたウェアラブル監視カメラシステムがある。このウェアラブル監視カメラシステムは、身体に装着するＣＣＤカメラ手段及びマイク手段からの映像信号及び音声信号、並びに内蔵のクロック手段からの日時情報信号を、体に装着するポーチ手段に収納するエンコードサーバー手段によりエンコードし、また文字情報に変換した日時情報を撮像した映像にスーパーインポーズして記録可能な構成を有している。
【先行技術文献】
【特許文献】
【０００４】
【特許文献１】特開２００６−１４８８４２号公報
【発明の概要】
【発明が解決しようとする課題】
【０００５】
ウェアラブルカメラシステムでは、撮像した映像データを記録して保存する際に、例えば特許文献１に記載のシステムのように、映像信号と日時情報とを関連づけて記録するなど、後日録画した映像データを再生する場合に目的の映像データの抽出、検索ができるようにしている。例えば、日時情報の他に、撮像された映像の内容を示す情報など、各種属性情報を映像データに関連付けて付与しておくと、目的の映像データの抽出、検索が容易にできて便利である。
【０００６】
同様に、警察官や警備員が利用する車両に車載カメラが搭載され、録画可能である場合にも、映像信号と日時情報や各種属性情報を関連づけて記録すると、後日録画した映像データを再生する場合に目的の映像データを容易に抽出、検索できて便利である。
【０００７】
しかしながら、属性情報を映像データに付与する場合、録画した映像データを後でＰＣ（Ｐｅｒｓｏｎａｌ  Ｃｏｍｐｕｔｅｒ）等を用いて再生して映像内容を確認して属性情報を付与するなど、手間がかかる。特に、警察官や警備員の業務に用いるウェアラブルカメラシステムでは、緊急時の映像を撮像することが多いため、録画した映像データの管理が困難であった。例えば、ＰＣを用いた属性情報の付与が困難であり、後でどの映像か判別することが困難であった。
【０００８】
本発明は、上記事情に鑑みてなされたものであり、ウェアラブルカメラや車載カメラにより撮像した映像データを取扱う上での利便性を向上できるウェアラブルカメラシステム及び属性情報付与方法を提供する。
【課題を解決するための手段】
【０００９】
本発明のウェアラブルカメラシステムは、ユーザが装着可能なウェアラブルカメラと、前記ユーザが乗車する車両に搭載された車載レコーダと、前記車両に搭載された車載カメラと、を備えるウェアラブルカメラシステムであって、前記車載カメラは、映像を撮像する第１の撮像部を備え、前記車載レコーダは、通信相手としてのウェアラブルカメラとの間で通信する第１の通信部と、前記車載カメラにより撮像された第１の映像データを録画する第１の録画部と、前記第１の映像データに関連する第１の属性情報を、前記第１の映像データに対して付与する第１の情報付与部と、を備え、前記ウェアラブルカメラは、映像を撮像する第２の撮像部と、通信相手としての車載レコーダとの間で通信する第２の通信部と、前記第２の撮像部により撮像された第２の映像データを録画する第２の録画部と、前記第２の映像データに関連する第２の属性情報を、前記第２の映像データに対して付与する第２の情報付与部と、を備え、前記ウェアラブルカメラは、前記第２の録画部による録画を開始した後、前記第２の映像データに対する前記第２の属性情報の付与に連携して、前記第２の通信部から前記第２の属性情報を前記車載レコーダへ送信し、前記車載レコーダは、受信した前記第２の属性情報を前記第１の属性情報として前記第１の映像データに対して付与する、又は、前記車載レコーダは、前記第１の録画部による録画を開始した後、前記第１の映像データに対する前記第１の属性情報の付与に連携して、前記第１の通信部から前記第１の属性情報を前記ウェアラブルカメラへ送信し、前記ウェアラブルカメラは、受信した前記第１の属性情報を前記第２の属性情報として前記第２の映像データに対して付与する。
【００１０】
本発明の属性情報付与方法は、ユーザが装着可能なウェアラブルカメラと、前記ユーザが乗車する車両に搭載された車載レコーダと、前記車両に搭載された車載カメラと、を備えるウェアラブルカメラシステムにおける属性情報付与方法であって、前記車載カメラにより映像を撮像し、前記ウェアラブルカメラにより映像を撮像し、前記車載カメラにより撮像された第１の映像データを前記車載レコーダにより録画し、前記ウェアラブルカメラにより撮像された第２の映像データを前記ウェアラブルカメラにより録画し、前記ウェアラブルカメラは、前記第２の映像データの録画を開始した後、前記第２の映像データへ属性情報を付与し、前記属性情報の付与に連携して、前記属性情報を前記車載レコーダへ送信し、前記車載レコーダは、受信した前記属性情報を前記第１の映像データに対して付与する。また、本発明の属性情報付与方法は、ユーザが装着可能なウェアラブルカメラと、前記ユーザが乗車する車両に搭載された車載レコーダと、前記車両に搭載された車載カメラと、を備えるウェアラブルカメラシステムにおける属性情報付与方法であって、前記車載カメラにより映像を撮像し、前記ウェアラブルカメラにより映像を撮像し、前記車載カメラにより撮像された第１の映像データを前記車載レコーダにより録画し、前記ウェアラブルカメラにより撮像された第２の映像データを前記ウェアラブルカメラにより録画し、前記車載レコーダは、前記第１の映像データの録画を開始した後、前記第１の映像データへ属性情報を付与し、前記属性情報の付与に連携して、前記属性情報を前記ウェアラブルカメラへ送信し、前記ウェアラブルカメラは、受信した前記属性情報を前記第２の映像データに対して付与する。
【発明の効果】
【００１１】
本発明によれば、ウェアラブルカメラや車載カメラにより撮像した映像データを取扱う上での利便性を向上できる。
【図面の簡単な説明】
【００１２】
【図１】実施形態に係るウェアラブルカメラシステムの概要とウェアラブルカメラにより撮像した映像データの使用に関する説明図
【図２】実施形態における警察官がパトカーに乗車して現場へ向かうイメージを示した模式図
【図３】実施形態に係るウェアラブルカメラの内部構成の一例を示すブロック図
【図４】実施形態に係るウェアラブルカメラをユーザが装着した状態を示す図
【図５】実施形態に係るウェアラブルカメラの外観の一例を示す正面図
【図６】実施形態に係るウェアラブルカメラの外観の一例を示す左側面図
【図７】実施形態に係るウェアラブルカメラの外観の一例を示す右側面図
【図８】実施形態に係る車載レコーダの内部構成の一例を示すブロック図
【図９】実施形態に係る車載ＰＣの内部構成の一例を示すブロック図
【図１０】実施形態に係るウェアラブルカメラでの属性情報の一例を示す模式図
【図１１】実施形態に係る車載レコーダでの属性情報の一例を示す模式図
【図１２】実施形態に係る録画データのデータ構造の一例を示す模式図
【図１３】実施形態に係るウェアラブルカメラが保持する録画映像リストのデータ構造の一例を示す模式図
【図１４】実施形態に係る車載レコーダが保持する録画映像リストのデータ構造の一例を示す模式図
【図１５】実施形態に係るウェアラブルカメラシステムによる属性情報付与手順の第１例を示すシーケンス図
【図１６】実施形態に係るウェアラブルカメラシステムによる属性情報付与手順の第２例を示すシーケンス図
【図１７】実施形態に係るウェアラブルカメラシステムによる属性情報付与手順の第３例を示すシーケンス図
【図１８】実施形態に係るウェアラブルカメラシステムによる属性情報付与手順の第４例を示すシーケンス図
【発明を実施するための形態】
【００１３】
以下、本発明の実施形態について、図面を用いて説明する。
【００１４】
図１は、本実施形態に係るウェアラブルカメラシステム１００の概要とウェアラブルカメラ１０により撮像した映像データの使用に関する説明図である。図２は、警察官７がパトカー６に乗車して現場８へ向かうイメージを示した模式図である。
【００１５】
本実施形態のウェアラブルカメラ１０は、ユーザ（例えば警察官（Ｏｆｆｉｃｅｒ）７、警備員）が体又は着用した衣服等に装着可能な撮像装置である。ウェアラブルカメラ１０は、車に搭載した車載システム６０、ユーザ組織内のサーバ（バックエンドサーバ）ＳＶ１，ＳＶ２，ＳＶ３等との間で通信する通信機能を有する。
【００１６】
ウェアラブルカメラシステム１００において、ウェアラブルカメラ１０、車載システム６０がフロントエンドシステム１００Ａを構成し、ネットワーク上の管理ソフトウェア７０、警察署５内のＰＣである署内ＰＣ７１、サーバＳＶ１，ＳＶ２，ＳＶ３がバックエンドシステム１００Ｂを構成する。管理ソフトウェア７０は、例えば署内ＰＣ７１又はサーバＳＶ１〜ＳＶ３により実行される。
【００１７】
ウェアラブルカメラシステム１００の一例として、警察署５において使用される場合を想定して説明する。この場合、警察官７がウェアラブルカメラ１０を使用して撮像し、例えば警察署５内のバックエンドシステム１００Ｂに撮像した映像データを転送して蓄積する。なお、ウェアラブルカメラ１０は、ユーザが警察官７に限定されず、その他様々な事業所（例えば、警備会社）において使用されてもよい。本実施形態では、ユーザとして警察官７を主に例示する。
【００１８】
フロントエンドシステム１００Ａは、現場８の最前線に出動する警察官７が装着可能なウェアラブルカメラ１０と、パトカー６内に設置された車載システム６０と、を含む。
【００１９】
車載システム６０は、車載カメラ６１、車載レコーダ６２、車載ＰＣ６３、通信ユニット等を有し、車載カメラシステム、映像管理システム等を構成する（図２参照）。
【００２０】
車載カメラ６１は、パトカー６の所定位置に設置され、パトカー６の周囲を常時又は所定のタイミングで映像を撮像する撮像部（不図示）を備える。車載カメラ６１は、例えばパトカー６の前方を撮像するためのフロント用カメラ（不図示）、パトカー６内のバックシート（例えば容疑者を座らせているシート）を撮像するためのバックシート用カメラ（不図示）と、を含む。車載カメラ６１により撮像された映像データは、例えば録画されると、車載レコーダ６２にて蓄積される。車載カメラ６１は、複数台設けられてもよい。
【００２１】
尚、フロント用カメラやバックシート用カメラには、パトカー６の車内外の音を収音するマイク（不図示）を備え付けられてもよい。この場合、パトカー６内の警察官７又は容疑者の発する音声も収音（録音）可能である。
【００２２】
車載レコーダ６２は、車載カメラ６１により撮像された映像データを蓄積する。また、車載レコーダ６２は、車載カメラ６１により撮像された映像データに対して属性情報などのメタ情報を付与し、管理してもよい。
【００２３】
車載レコーダ６２は、ウェアラブルカメラ１０により撮像された映像データを取得し、蓄積してもよい。取得され、又は蓄積される映像データには、属性情報などのメタ情報が付与されていてもよい。
【００２４】
車載ＰＣ６３は、パトカー６内に固定的に搭載されるＰＣでもよいし、パトカー６外にも携帯可能なＰＣ、スマートフォン、携帯電話機、タブレット端末、ＰＤＡ（Ｐｅｒｓｏｎａｌ  Ｄｉｇｉｔａｌ  Ａｓｓｉｓｔａｎｔ）等の無線通信装置であってもよい。
【００２５】
車載ＰＣ６３は、図示しない管理ソフトウェアを実行することで、車載システム６０とウェアラブルカメラ１０との連携を可能にする。また、車載ＰＣ６３のＵＩ（Ｕｓｅｒ  Ｉｎｔｅｒｆａｃｅ）（例えば、操作部、表示部、音声出力部）は、車載レコーダ６２を操作するためのＵＩとしても用いられる。
【００２６】
警察官７は、所定の用件（例えばパトロール）で警察署５から出動する際、例えば、ウェアラブルカメラ１０を装着し、車載システム６０を搭載したパトカー６に乗車して現場８に向かう（図２参照）。
【００２７】
フロントエンドシステム１００Ａにおいて、例えば、パトカー６が到着した現場８の映像を車載システム６０の車載カメラ６１により撮像し、警察官７がパトカー６から降車して現場８のより詳細な映像をウェアラブルカメラ１０により撮像する。
【００２８】
ウェアラブルカメラ１０が撮像した動画又は静止画の映像データは、例えば、ウェアラブルカメラ１０のメモリ、車載システム６０の車載レコーダ６２又は車載ＰＣ６３のメモリに保存される。
【００２９】
ウェアラブルカメラ１０は、ウェアラブルカメラ１０のメモリ等から、ウェアラブルカメラ１０により撮像された映像データを含む各種データを、バックエンドシステム１００Ｂに転送（アップロード）する。
【００３０】
車載システム６０（例えば車載レコーダ６２）は、車載システム６０のメモリ等から、車載カメラ６１により撮像された映像データを含む各種データを、バックエンドシステム１００Ｂに転送（アップロード）する。
【００３１】
バックエンドシステム１００Ｂへのデータ転送は、例えば、現場８から無線通信により接続して行うか、或いは、パトロールが終了して警察署５に戻った際に、有線通信、無線通信、又は手動（例えば記憶媒体の持ち運び）により行う。
【００３２】
バックエンドシステム１００Ｂは、警察署５内又は他の場所に設置されたサーバＳＶ１〜ＳＶ３と、フロントエンドシステム１００Ａと通信するための管理ソフトウェア７０と、署内ＰＣ７１と、を含む。
【００３３】
サーバＳＶ１〜ＳＶ３は、サーバＳＶ１〜ＳＶ３の内部又は外部にＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等によるストレージを備える。サーバＳＶ１〜ＳＶ３は、フロントエンドシステム１００Ａから転送された映像データ及び他のデータを、サーバＳＶ１〜ＳＶ３に蓄積する。サーバＳＶ１〜ＳＶ３は、例えば、ウェアラブルカメラ１０又は車載システム６０（例えば車載レコーダ６２）から転送された映像データを受信し、ＨＤＤ等のストレージに保存する。
【００３４】
バックエンドシステム１００Ｂに蓄積された映像データは、例えば警察署５内の関係部署の担当者により事件の操作・検証等に利用され、必要に応じて、所定の記憶媒体（例えばＤＶＤ：Ｄｉｇｉｔａｌ  Ｖｅｒｓａｔｉｌｅ  Ｄｉｓｋ）に映像データがコピーされて、所定のシーン（例えば裁判）において証拠品として提出される。本実施形態では、警察官７が装着したウェアラブルカメラ１０を用いて、現場８の証拠映像をより的確に取得及び保存することが可能になっている。
【００３５】
警察官７が警察署５から現場８へ出動し、ウェアラブルカメラ１０を用いる際には、警察官７の識別情報（例えばＯｆｆｉｃｅｒ  ＩＤ）、警察官が使用するウェアラブルカメラ１０の識別情報（例えばＣａｍｅｒａ  ＩＤ）、警察官７が使用するパトカー６の識別情報（例えばＣａｒ  ＩＤ）等を、署内ＰＣ７１等を用いて設定登録する。これにより、サーバＳＶ１〜ＳＶ３に蓄積された映像データについて、いつ、どの警察官がどのカメラを用いて撮像した映像であるかを明確に区別できる。
【００３６】
警察官７やウェアラブルカメラ１０の設定登録は、例えば、警察署５内の担当者や出動する警察官７が署内ＰＣ７１の操作部（不図示）を操作し、署内ＰＣ７１が管理ソフトウェア７０を実行することで行われる。この設定登録では、上記Ｏｆｆｉｃｅｒ  ＩＤ、Ｃａｍｅｒａ  ＩＤ、Ｃａｒ  ＩＤ以外の情報が署内ＰＣ７１の操作部を介して入力されてもよい。
【００３７】
つまり、管理ソフトウェア７０は、例えば、警察官７の人員を管理するためのアプリケーション、パトカー６等の配車を管理するためのアプリケーション、ウェアラブルカメラ１０の持ち出しを管理するためのアプリケーション、を含む。また、管理ソフトウェア７０は、例えば、サーバＳＶ１〜ＳＶ３に蓄積された複数の映像データから、属性情報に基づいて特定の映像データを検索し、抽出するためのアプリケーションを含む。
【００３８】
また、警察官７がパトカー６へ乗車した際には、車載システム６０に対して警察官７がログイン可能である。このログインの際には、例えば、車載ＰＣ６３の操作部を操作して、警察署５内での設定登録と同様に、Ｏｆｆｉｃｅｒ  ＩＤ、Ｃａｍｅｒａ  ＩＤ、その他の情報を入力する。入力されたＯｆｆｉｃｅｒ  ＩＤ、Ｃａｍｅｒａ  ＩＤ、その他の情報は、例えば、車載レコーダ６２に保持される。
【００３９】
車載システム６０に対して警察官７がログインすると、警察官７が車載システム６０を使用することが許可される。車載システム６０と警察官７が所持するウェアラブルカメラ１０との連携も、ログイン後に可能となってもよい。例えば、ウェアラブルカメラ１０が撮像した映像データを車載システム６０（例えば車載レコーダ６２）へ送信して、警察官７が車載ＰＣ６３により確認でき、車載システム６０（例えば車載レコーダ６２）がウェアラブルカメラ１０へ各種設定を指示できる。
【００４０】
図３は、ウェアラブルカメラ１０の内部構成の一例を示すブロック図である。図４は、ウェアラブルカメラ１０を警察官７が装着した状態を示す模式図である。図５は、ウェアラブルカメラ１０の外観の一例を示す正面図である。図６は、ウェアラブルカメラ１０の外観の一例を示す左側面図である。図７は、ウェアラブルカメラ１０の外観の一例を示す右側面図である。
【００４１】
図３に示すように、ウェアラブルカメラ１０は、撮像部１１と、ＧＰＩＯ１２（Ｇｅｎｅｒａｌ  Ｐｕｒｐｏｓｅ  Ｉｎｐｕｔ／Ｏｕｔｐｕｔ）と、ＲＡＭ（Ｒａｎｄｏｍ  Ａｃｃｅｓｓ  Ｍｅｍｏｒｙ）１３と、ＲＯＭ（Ｒｅａｄ  Ｏｎｌｙ  Ｍｅｍｏｒｙ）１４と、記憶部１５と、を備える。ウェアラブルカメラ１０は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）１６と、ＲＴＣ（Ｒｅａｌ  Ｔｉｍｅ  Ｃｌｏｃｋ）１７と、ＧＰＳ（Ｇｌｏｂａｌ  Ｐｏｓｉｔｉｏｎｉｎｇ  Ｓｙｓｔｅｍ）１８と、を備える。ウェアラブルカメラ１０は、ＭＣＵ（Ｍｉｃｒｏ  Ｃｏｎｔｒｏｌｌｅｒ  Ｕｎｉｔ）１９と、通信部２１と、ＵＳＢ（Ｕｎｉｖｅｒｓａｌ  Ｓｅｒｉａｌ  Ｂｕｓ）２２と、コンタクトターミナル２３と、電源部２４と、バッテリ２５と、を備える。
【００４２】
ウェアラブルカメラ１０は、操作入力部の一例として、録画スイッチＳＷ１と、スナップショットスイッチＳＷ２と、属性情報付与スイッチＳＷ３と、属性選択スイッチＳＷ４と、通信モードスイッチＳＷ５と、インジケータスイッチＳＷ６と、を備える。
【００４３】
ウェアラブルカメラ１０は、状態表示部の一例として、ＬＥＤ（Ｌｉｇｈｔ  Ｅｍｉｔｔｉｎｇ  Ｄｉｏｄｅ）２６ａ，２６ｂ，２６ｃと、バイブレータ２７と、を備える。
【００４４】
撮像部１１は、例えば、撮像レンズ１１ａ（図５参照）と、ＣＣＤ（Ｃｈａｒｇｅ  Ｃｏｕｐｌｅｄ  Ｄｅｖｉｃｅ）型イメージセンサ又はＣＭＯＳ（Ｃｏｍｐｌｅｍｅｎｔａｒｙ Ｍｅｔａｌ  Ｏｘｉｄｅ  Ｓｅｍｉｃｏｎｄｕｃｔｏｒ）型イメージセンサ等による固体撮像素子と、を有する。撮像部１１は、撮像により得られた被写体の映像データをＭＣＵ１９に出力する。
【００４５】
ＧＰＩＯ１２は、パラレルインタフェースであり、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６、ＬＥＤ２６ａ〜２６ｃ及びバイブレータ２７と、ＭＣＵ１９との間で信号を入出力する。また、ＧＰＩＯ１２には、例えば、各種センサ（例えば加速度センサ）が接続される。
【００４６】
ＲＡＭ１３は、例えば、ＭＣＵ１９の動作において使用されるワークメモリである。ＲＯＭ１４は、例えば、ＭＣＵ１９を制御するためのプログラム及びデータを予め記憶するメモリである。
【００４７】
記憶部１５は、例えば、ＳＤメモリ等の記憶媒体により構成され、撮像部１１にて撮像して得られた映像データを記憶する。記憶部１５としてＳＤメモリを用いる場合、ウェアラブルカメラ１０の筐体本体に対して取付け及び取外しが可能である。
【００４８】
ＥＥＰＲＯＭ１６は、例えば、ウェアラブルカメラ１０を識別する識別情報（例えばＣａｍｅｒａ  ＩＤとしてのシリアル番号）、及び他の設定情報を記憶する。他の設定情報は、例えば、署内ＰＣ７１での設定登録や車載レコーダ６２へログインすることにより得られるログイン情報（例えばＣａｒ  ＩＤ、Ｏｆｆｉｃｅｒ  ＩＤ）、属性選択スイッチＳＷ４の状態と属性情報との対応を示す対応情報、を含む。
【００４９】
ＲＴＣ１７は、現在の時刻情報をカウントしてＭＣＵ１９に出力する。
【００５０】
ＧＰＳ１８は、現在のウェアラブルカメラ１０の位置情報及び時刻情報をＧＰＳ発信機（不図示）から受信して、ＭＣＵ１９に出力する。この時刻情報は、ウェアラブルカメラ１０のシステム時刻の補正のために使用される。
【００５１】
ＭＣＵ１９は、制御部としての機能を有し、例えば、ウェアラブルカメラ１０の各部の動作を全体的に統括するための制御処理、ウェアラブルカメラ１０の各部との間のデータの入出力処理、データの演算（計算）処理及びデータの記憶処理を行い、ＲＯＭ１４に記憶されたプログラム及びデータに従って動作する。ＭＣＵ１９は、動作時には、例えば、ＲＡＭ１３を使用し、ＲＴＣ１７より現在の時刻情報を得て、ＧＰＳ１８より現在の位置情報を得る。
【００５２】
通信部２１は、例えばＯＳＩ（Ｏｐｅｎ  Ｓｙｓｔｅｍｓ  Ｉｎｔｅｒｃｏｎｎｅｃｔｉｏｎ）参照モデルの第１層である物理層において、通信部２１とＭＣＵ１９との接続を規定する。通信部２１は、この規定に従って、例えば、無線ＬＡＮ（Ｗ−ＬＡＮ）による無線通信（例えばＷｉ−ｆｉ（登録商標））を行う。通信部２１は、近距離無線通信（ＮＦＣ：Ｎｅａｒ  Ｆｉｅｌｄ  Ｃｏｍｍｕｎｉｃａｔｉｏｎ）、Ｂｌｕｅｔｏｏｔｈ（登録商標）等の無線通信を行ってもよい。
【００５３】
ＵＳＢ２２は、シリアルバスであり、例えば、車載システム６０、又は警察署５内の署内ＰＣ７１との接続を可能とする。
【００５４】
コンタクトターミナル２３は、クレードル（不図示）又は外付けアダプタ（不図示）等と電気的に接続するための端子であり、ＵＳＢ２２を介してＭＣＵ１９に接続され、電源部２４と接続される。コンタクトターミナル２３を介して、ウェアラブルカメラ１０の充電、及び映像データを含むデータの通信が可能となっている。
【００５５】
コンタクトターミナル２３には、例えば、「充電端子Ｖ＋」、「ＣＯＮ．ＤＥＴ端子」、「データ端子Ｄ−，Ｄ＋」及び「グランド端子」（いずれも図示省略）が設けられる。ＣＯＮ．ＤＥＴ端子は、電圧および電圧変化を検出するための端子である。データ端子Ｄ−，Ｄ＋は、例えばＵＳＢコネクタ端子を介して、外部ＰＣ等に対してウェアラブルカメラ１０で撮像した映像データ等を転送するための端子である。
【００５６】
コンタクトターミナル２３とクレードル（不図示）又は外付けアダプタ（不図示）のコネクタとが接続されることにより、ウェアラブルカメラ１０と外部機器との間でデータ通信が可能となる。
【００５７】
電源部２４は、例えば、コンタクトターミナル２３を介してクレードル又は外付けアダプタより供給される電源電力をバッテリ２５に給電して、バッテリ２５を充電する。バッテリ２５は、例えば、充電可能な２次電池により構成され、ウェアラブルカメラ１０の各部に電源電力を供給する。
【００５８】
録画スイッチＳＷ１は、例えば、警察官７の押下操作による録画（動画の撮像）の開始／停止の操作指示を入力する押しボタンスイッチである。
【００５９】
スナップショットスイッチＳＷ２は、例えば、警察官７の押下操作による静止画の撮像の操作指示を入力する押しボタンスイッチである。
【００６０】
属性情報付与スイッチＳＷ３は、例えば、警察官７の押下操作による、映像データに属性情報を付与するための操作指示を入力する押しボタンスイッチである。
【００６１】
属性選択スイッチＳＷ４は、例えば、映像データに付与する属性を選択するための操作指示を入力するスライドスイッチである。
【００６２】
通信モードスイッチＳＷ５は、例えば、ウェアラブルカメラ１０と外部機器との間の通信モードを設定するための操作指示を入力するスライドスイッチである。
【００６３】
インジケータスイッチＳＷ６は、例えば、ＬＥＤ２６ａ〜２６ｃ及びバイブレータ２７による動作状態表示モードを設定するための操作指示を入力するスライドスイッチである。
【００６４】
録画スイッチＳＷ１、スナップショットスイッチＳＷ２、属性情報付与スイッチＳＷ３、及び属性選択スイッチＳＷ４は、緊急時においても容易に操作が可能に構成される。なお、各スイッチＳＷ１〜ＳＷ６は、上記の形態に限定されず、ユーザによる操作指示の入力が可能な他の形態の操作入力デバイスでもよい。
【００６５】
ＬＥＤ２６ａは、例えば、ウェアラブルカメラ１０の電源投入状態（オンオフ状態）及びバッテリ２５の状態を示す表示部である。
【００６６】
ＬＥＤ２６ｂは、例えば、ウェアラブルカメラ１０の撮像動作の状態（録画状態）を示す表示部である。
【００６７】
ＬＥＤ２６ｃは、例えば、ウェアラブルカメラ１０の通信モードの状態を示す表示部である。
【００６８】
ＭＣＵ１９は、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６の各スイッチの入力検出を行い、操作があったスイッチ入力に対する処理を行う。
【００６９】
ＭＣＵ１９は、録画スイッチＳＷ１の操作入力を検出した場合、撮像部１１における撮像動作の開始又は停止を制御し、撮像部１１から得られた映像データを、動画像の映像データとして記憶部１５に保存する。
【００７０】
ＭＣＵ１９は、スナップショットスイッチＳＷ２の操作入力を検出した場合、スナップショットスイッチＳＷ２が操作されたときの撮像部１１による映像データを、静止画の映像データとして記憶部１５に保存する。
【００７１】
ＭＣＵ１９は、属性情報付与スイッチＳＷ３の操作入力を検出した場合、予め設定された属性情報を映像データに付与し、映像データと対応付けて記憶部１５に保存する。この際、属性選択スイッチＳＷ４の状態と所定の属性情報との対応関係を示す対応情報をＥＥＰＲＯＭ１６に保持しておき、ＭＣＵ１９は、属性選択スイッチＳＷ４の状態を検出し、属性選択スイッチＳＷ４の設定に応じた属性情報を付与する。
【００７２】
ＭＣＵ１９は、通信モードスイッチＳＷ５の状態を検出し、通信モードスイッチＳＷ５の設定に応じた通信モードによって通信部２１を動作させる。
【００７３】
ＭＣＵ１９は、録画動作を開始した場合、インジケータスイッチＳＷ６の状態を検出し、インジケータスイッチＳＷ６の設定に応じて、ＬＥＤ表示及び／又はバイブレータ振動によって録画動作の状態を外部に示す報知を行う。
【００７４】
図４に示すように、ウェアラブルカメラ１０は、例えば、警察官７の胸部など、警察官７の視点に近い位置からの視野の映像を撮像するように、警察官７が着用した衣服又は体に装着して使用される。警察官７は、ウェアラブルカメラ１０を装着した状態で、録画スイッチＳＷ１を操作して周囲の被写体の撮像を行う。
【００７５】
図５に示すように、ウェアラブルカメラ１０では、例えば、略直方体状の筐体１０Ａの正面に、撮像部１１の撮像レンズ１１ａ、録画スイッチＳＷ１、スナップショットスイッチＳＷ２が設けられる。
【００７６】
録画スイッチＳＷ１は、例えば、奇数回押下されることで録画（動画の撮像）が開始され、偶数回押下されることで録画が終了する。
【００７７】
スナップショットスイッチＳＷ２は、例えば、押下される度に、押下時の静止画の撮像が実行される。
【００７８】
図６に示すように、ウェアラブルカメラ１０の筐体１０Ａの正面から見て左側面には、属性情報付与スイッチＳＷ３、属性選択スイッチＳＷ４、ＵＳＢコネクタ２２ａが設けられる。警察官７が属性情報付与スイッチＳＷ３を押下操作することにより、現在録画中の映像データ又は直前に録画した映像データに対して、属性選択スイッチＳＷ４の設定状態に応じた属性情報が付与される。
【００７９】
属性選択スイッチＳＷ４は、図示例ではＣ１，Ｃ２，Ｃ３の３段階の接点位置を有するスライドスイッチであり、Ｃ１〜Ｃ３にそれぞれ割り付け設定された属性情報を警察官７が選択して指定する。
【００８０】
ＵＳＢコネクタ２２ａには、ＵＳＢ２２により外部機器と接続するケーブルが接続される。これにより、ウェアラブルカメラ１０と車載システム６０又は警察署５内の署内ＰＣ７１等とを接続し、データ通信可能である。
【００８１】
図７に示すように、ウェアラブルカメラ１０の筐体１０Ａの正面から見て右側面には、通信モードスイッチＳＷ５、インジケータスイッチＳＷ６が設けられる。
【００８２】
通信モードスイッチＳＷ５は、図示例ではＡＰ、ＳＴＡ１、ＳＴＡ２、ＯＦＦの４段階の接点位置を有するスライドスイッチであり、ウェアラブルカメラ１０の通信モードをユーザが選択して指定する。
【００８３】
ＡＰは、アクセスポイントモードであり、ウェアラブルカメラ１０が無線ＬＡＮのアクセスポイントとして動作し、例えば、警察官７が所持する携帯端末（不図示）と無線接続して、ウェアラブルカメラ１０と携帯端末との間で通信を行うモードである。
【００８４】
アクセスポイントモードにおいて、携帯端末は、ウェアラブルカメラ１０と接続することにより、ウェアラブルカメラ１０による現在のライブ映像の表示、録画された映像データの再生、撮像された静止画の表示、映像データに付与された属性情報やメタ情報の表示等を行うことができる。
【００８５】
ＳＴＡ１，ＳＴＡ２は、ステーションモードであり、無線ＬＡＮを用いて外部機器と接続する場合に、外部機器をアクセスポイントとして通信を行うモードである。ＳＴＡ１は警察署５内のアクセスポイントと接続するモード、ＳＴＡ２は車載システム６０と接続するモードであり、それぞれ異なる接続先情報が設定される。
【００８６】
ステーションモードにおいて、ウェアラブルカメラ１０は、各種設定、ウェアラブルカメラ１０が保持する録画された映像データの転送（アップロード）などを車載システム６０や警察署５内の署内ＰＣ７１やサーバＳＶ１〜ＳＶ３に対して行うことができる。
【００８７】
ＯＦＦは、無線ＬＡＮの通信動作をオフし、無線ＬＡＮを未使用とするモードである。
【００８８】
インジケータスイッチＳＷ６は、図示例ではＬＥＤ、Ｖｉｂｒａｔｉｏｎ、ＬＥＤ＆Ｖｉｂｒａｔｉｏｎ、ＯＦＦの４段階の接点位置を有するスライドスイッチであり、ウェアラブルカメラ１０の報知モードを警察官７が選択して指定する。
【００８９】
ＬＥＤは、ＬＥＤ２６ａ〜２６ｃによってウェアラブルカメラ１０の録画中などの動作状態を表示するモードである。
【００９０】
Ｖｉｂｒａｔｉｏｎは、バイブレータ２７の振動によってウェアラブルカメラ１０の動作状態を報知するモードである。
【００９１】
ＬＥＤ＆Ｖｉｂｒａｔｉｏｎは、ＬＥＤ２６ａ〜２６ｃの表示とバイブレータ２７の振動とによってウェアラブルカメラ１０の動作状態を報知するモードである。
【００９２】
ＯＦＦは動作状態の報知動作をオフするモードである。
【００９３】
ＬＥＤ２６ａ〜２６ｃは、図４に示すように、ウェアラブルカメラ１０の筐体１０Ａの正面から見て上面に配置されている。これにより、警察官７がウェアラブルカメラ１０を装着した状態でＬＥＤ２６ａ〜２６ｃを容易に視認できる。尚、警察官７本人以外からはＬＥＤ２６ａ〜２６ｃが見えないようにしてもよい。
【００９４】
また、図示しないが、ウェアラブルカメラ１０の筐体１０Ａの正面から見て下面には、コンタクトターミナル２３が設けられる。
【００９５】
図８は、車載レコーダ６２の内部構成の一例を示すブロック図である。車載レコーダ６２は、ＣＰＵ１０１、無線通信部１０２、有線通信部１０３、フラッシュＲＯＭ１０４、ＲＡＭ１０５、μＣＯＮ１０６、ＧＰＳ１０７、ＧＰＩＯ１０８、ボタン１０９、ＬＥＤ１１０、及びＳＳＤ１１１を含む構成である。
【００９６】
ＣＰＵ１０１は、例えば、車載レコーダ６２の各部の動作を全体的に統括するための制御処理、他の各部との間のデータの入出力処理、データの演算（計算）処理及びデータの記憶処理を行う。
【００９７】
無線通信部１０２は、無線回線を介して外部装置と無線通信する。無線通信は、例えば、無線ＬＡＮ（Ｌｏｃａｌ  Ａｒｅａ  Ｎｅｔｗｏｒｋ）通信、近距離無線通信（ＮＦＣ）、Ｂｌｕｅｔｏｏｔｈ（登録商標）を含む。無線ＬＡＮ通信は、例えばＷｉ−ｆｉ（登録商標）のＩＥＥＥ８０２．１１ｎ規格に従って通信する。ＣＰＵ１０１と無線通信部１０２との間は、例えば、ＰＣＩ（Ｐｅｒｉｐｈｅｒａｌ  Ｃｏｍｐｏｎｅｎｔ  ＩｎｔｅｒＣｏｎｎｅｃｔ）又はＵＳＢを介して接続される。無線通信部１０２は、例えば、車載カメラ６１、車載ＰＣ６３、ウェアラブルカメラ１０、警察署５の署内ＰＣ７１やサーバＳＶ１〜ＳＶ３との間で無線通信する。
【００９８】
有線通信部１０３は、有線回線（例えば有線ＬＡＮ）を介して外部装置と有線通信する。有線通信部１０３は、例えば、車載カメラ６１、車載ＰＣ６３、ウェアラブルカメラ１０、警察署５の署内ＰＣ７１やサーバＳＶ１〜ＳＶ３との間で有線通信する。
【００９９】
フラッシュＲＯＭ１０４は、例えば、ＣＰＵ１０１を制御するためのプログラム及びデータを記憶するメモリである。また、各種設定情報が保持される。
【０１００】
ＲＡＭ１０５は、例えば、ＣＰＵ１０１の動作において使用されるワークメモリである。ＲＡＭ１０５は、例えば複数設けられる。
【０１０１】
μＣＯＮ１０６は、例えば、マイクロコンピュータの一種であり、外部インタフェースに係る各部（例えば、ＧＰＳ１０７、ＧＰＩＯ１０８、ボタン１０９、ＬＥＤ１１０）と接続され、外部インタフェースに関する制御を行う。μＣＯＮ１０６は、例えばＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を介して、ＣＰＵ１０１に接続される。
【０１０２】
ＧＰＳ１０７は、例えば、現在の車載レコーダ６２の位置情報及び時刻情報をＧＰＳ発信機（不図示）から受信して、ＣＰＵ１０１に出力する。この時刻情報は、車載レコーダ６２のシステム時刻の補正のために使用される。
【０１０３】
ＧＰＩＯ１０８は、例えば、パラレルインタフェースであり、ＧＰＩＯ１０８を介して接続される外部装置（不図示）とＭＣＵ１９との間で、信号を入出力する。ＧＰＩＯ１０８には、例えば、各種センサ（例えば速度センサ、加速度センサ、扉開閉センサ）が接続される。
【０１０４】
ボタン１０９は、例えば、車載カメラ６１により撮像された映像データの録画を開始又は停止するための録画ボタン、車載カメラ６１により撮像された映像データに対して属性情報やメタ情報を付与するための付与ボタン、を含む。
【０１０５】
ＬＥＤ１１０は、例えば、車載レコーダ６２の電源投入状態（オンオフ状態）、録画の実施状態、車載レコーダ６２のＬＡＮへの接続状態、車載レコーダ６２に接続されたＬＡＮの使用状態を、点灯、消灯、点滅等により表示する。
【０１０６】
ＳＳＤ１１１は、例えば、車載カメラ６１により撮像され録画された映像データを蓄積する。ＳＳＤ１１１は、ウェアラブルカメラ１０により撮像され録画された映像データを蓄積してもよい。また、ＳＳＤ１１１は、映像データ以外のデータを蓄積してもよい。ＳＳＤ１１１は、ＳＡＴＡ（Ｓｅｒｉａｌ  ＡＴＡ）を介して、ＣＰＵ１０１に接続される。ＳＳＤ１１１は、複数設けられてもよい。尚、ＳＳＤ１１１以外のストレージ（例えばＨＤＤ）が設けられてもよい。
【０１０７】
図９は、車載ＰＣ６３の内部構成の一例を示すブロック図である。車載ＰＣ６３は、ＣＰＵ２０１と、Ｉ／Ｏ（Ｉｎｐｕｔ／Ｏｕｔｐｕｔ）制御部２０２と、通信部２０３と、メモリ２０４と、入力部２０５と、表示部２０６と、スピーカ２０７と、ＨＤＤ２０８と、を含む構成である。車載ＰＣ６３は、ウェアラブルカメラ１０、車載レコーダ６２とそれぞれ通信可能であり、バックエンドシステム１００Ｂのサーバ装置ＳＶ１〜ＳＶ３や署内ＰＣ７１とも通信可能である。
【０１０８】
ＣＰＵ２０１は、例えば、車載ＰＣ６３の各部の動作を全体的に統括するための制御処理、他の各部との間のデータのＩ／Ｏ制御部２０２を介した入出力処理、データの演算（計算）処理及びデータの記憶処理を行う。
【０１０９】
ＣＰＵ２０１は、例えば、表示部２０６に表示された車載システム６０へのログイン画面（不図示）に対する警察官７の入力操作により、警察官７の車載システム６０へのログインの可否を認証する。警察官７の入力操作は、例えば、オフィサＩＤとパスワード等を入力する操作である。ログインが許可される対象となる警察官７に関する各種情報は、例えばメモリ２０４に予め保存されており、ＣＰＵ２０１は、メモリ２０４に予め保存されているログインの許可対象の情報を用いて、警察官７の車載システム６０へのログインの可否を判定する。
【０１１０】
尚、このログインは、車載ＰＣ６３を介した車載システム６０へのログインでもよいし、車載ＰＣ６３に搭載された車載システム６０を操作するアプリケーションへのログインでもよい。
【０１１１】
Ｉ／Ｏ制御部２０２は、ＣＰＵ２０１と車載ＰＣ６３の各部（例えば通信部２０３、入力部２０５、表示部２０６、スピーカ２０７）との間でデータの入出力に関する制御を行い、ＣＰＵ２０１からのデータ及びＣＰＵ２０１へのデータの中継を行う。尚、Ｉ／Ｏ制御部２０２は、ＣＰＵ２０１と一体的に構成されてもよい。
【０１１２】
通信部２０３は、例えば、車載レコーダ６２との間、警察官７が装着可能なウェアラブルカメラ１０との間、又はバックエンドシステム１００Ｂ側との間で、有線又は無線による通信を行う。
【０１１３】
通信部２０３は、警察官７が車載システム６０にログイン中である場合、メモリ２０４に保存されるログイン情報をウェアラブルカメラ１０に転送してコピーさせ、警察官７が車載システム６０にログインしていない場合、ログイン情報をウェアラブルカメラ１０に転送しない。
【０１１４】
ログイン情報は、例えば、警察官７を識別するためのＯｆｆｉｃｅｒ  ＩＤ、ウェアラブルカメラ１０を識別するためのＣａｍｅｒａ  ＩＤ、使用されるパトカー６を識別するためのＣａｒ  ＩＤを含む。
【０１１５】
メモリ２０４は、例えばＲＡＭ、ＲＯＭ、不揮発性又は揮発性の半導体メモリを用いて構成され、ＣＰＵ２０１の動作時のワークメモリとして機能し、ＣＰＵ２０１を動作させるための所定のプログラム及びデータを保存している。メモリ２０４は、例えば、車載システム６０へのログインが許可される警察官７に関するログイン情報を保存する。
【０１１６】
入力部２０５は、警察官７の入力操作を受け付け、Ｉ／Ｏ制御部２０２を介してＣＰＵ２０１に通知するためのＵＩであり、例えばマウス、キーボード等のポインティングデバイスである。入力部２０５は、例えば表示部２０６の画面に対応して配置され、警察官７の指又はスタイラスペンによって操作が可能なタッチパネル又はタッチパッドを用いて構成されても良い。
【０１１７】
入力部２０５は、例えば、車載システム６０へログインするためのログイン情報を入力する。
【０１１８】
表示部２０６は、例えばＬＣＤ（Ｌｉｑｕｉｄ  Ｃｒｙｓｔａｌ  Ｄｉｓｐｌａｙ）又は有機ＥＬ（Ｅｌｅｃｔｒｏｌｕｍｉｎｅｓｃｅｎｃｅ）を用いて構成され、各種情報を表示する。また、表示部２０６は、例えば警察官７の入力操作に応じて、ウェアラブルカメラ１０により撮像（録画）された映像データが入力された場合には、ＣＰＵ２０１の指示の下で、映像データに含まれる映像を画面に表示する。
【０１１９】
スピーカ２０７は、例えば警察官７の入力操作に応じて、ウェアラブルカメラ１０により撮像（録画）された音声を含む映像データが入力された場合には、ＣＰＵ２０１の指示の下で、映像データに含まれる音声を出力する。なお、表示部２０６及びスピーカ２０７は、車載ＰＣ６３とは別々の構成としてもよい。
【０１２０】
ＨＤＤ２０８は、例えば、各種データ、ソフトウェア（ソフトウェアプログラム）を記憶する。具体的には、ＨＤＤ２０８は、例えば、車載レコーダ６２の制御や設定を行うためのソフトウェア、ウェアラブルカメラ１０の制御や設定を行うためのソフトウェア、を保存する。また、ＨＤＤ２０８は、例えば、ウェアラブルカメラ１０から転送され、ウェアラブルカメラ１０により撮像された映像データを保存する。
【０１２１】
次に、映像データへの属性情報の付与について説明する。
【０１２２】
ウェアラブルカメラシステム１００において、ウェアラブルカメラ１０により録画し、サーバＳＶ１〜ＳＶ３へ転送して蓄積した映像データを利用する場合を想定する。同様に、車載カメラ６１により撮像し、車載レコーダ６２により録画し、サーバＳＶ１〜ＳＶ３へ転送して蓄積した映像データを利用する場合を想定する。
【０１２３】
この場合、例えば、署内ＰＣ７１は、警察署５内の警察官の操作に応じて、蓄積した映像データの中から、映像内容の種別、撮像した警察官７、日時、撮像場所など、映像データに関連する何らかの属性情報を基にして対象の映像データを抽出し、再生できる。この際に、映像データに対応付けられた属性情報が用いられる。映像データに属性情報が付与されることで、何を撮像した映像であるかの判別が容易になり、目的の映像データを抽出することが容易になる。
【０１２４】
ここでは、ウェアラブルカメラ１０は、属性情報として映像内容の種別を示す分類情報（Ｃｌａｓｓｉｆｙ）を付与し、映像データを各種別に振り分け可能にする。分類情報は、映像データの内容に関する事件カテゴリを示す。映像データに対する属性情報の付与は、タグ付け等とも称する。なお、属性情報としては分類情報に限定されず、録画した映像データに関するあらゆる情報が含まれる。また、属性情報としての分類情報は、例えば、階層構造とされ、又は、分類を異なる複数の系統によってカテゴリ分けされてもよい。
【０１２５】
また、上記と同様に、車載レコーダ６２は、属性情報として映像内容の種別を示す分類情報（Ｃｌａｓｓｉｆｙ）を付与し、映像データを各種別に振り分け可能にする。
【０１２６】
図１０は、ウェアラブルカメラ１０での属性情報の一例を示す模式図である。この属性情報は、属性選択スイッチＳＷ４の操作により選択され、属性付与スイッチＳＷ３の操作により付与される。
【０１２７】
ウェアラブルカメラ１０を使用する場合、図１０に示すように、属性選択スイッチＳＷ４の状態（接点位置）Ｃ１〜Ｃ３にそれぞれ対応して、属性情報を割り付けて設定しておく。図示例は、警察官７が現場８（例えば事件現場）の様子を撮像する場合を想定し、Ｃ１に飲酒運転（Ｄｒｉｖｉｎｇ  Ｕｎｄｅｒ  ｔｈｅ  Ｉｎｆｌｕｅｎｃｅ）、Ｃ２に薬物乱用（Ｄｒｕｇ  Ａｂｕｓｅ  Ｖｉｏｌａｔｉｏｎｓ）、Ｃ３に窃盗（Ｓｔｏｌｅｎ  Ｐｒｏｐｏｅｒｔｙ）をそれぞれ割り付けたものである。
【０１２８】
属性情報の割り付けでは、例えば、ウェアラブルカメラ１０のＭＣＵ１９が、複数定義された属性情報の中から、警察官７にとって使用頻度の高い属性情報を選択して設定する。属性情報の設定内容は、例えば、ウェアラブルカメラ１０のＥＥＰＲＯＭ１６に設定情報の一つとして記憶される。
【０１２９】
図１１は、車載レコーダ６２での属性情報の一例を示す模式図である。車載レコーダ６２は、例えば、通信部２０３が、車載ＰＣ６３の入力部２０５により入力された属性情報を取得し、ＣＰＵ１０１が、車載カメラ６１により撮像された映像データに対して、取得された属性情報を付与し、属性情報を映像データに関連付けてＳＳＤ１１１へ格納する。車載レコーダ６２による属性情報の付与では、属性選択スイッチＳＷ４のように接点数が決まっていないので、より多種類の属性情報を付与することが可能である。尚、属性情報は、単体で、又は属性情報を含むメタ情報として、映像データに関連付けて記憶される。
【０１３０】
警察官７は、図１１に示すように、例えば１１個の属性情報のいずれかを、車載ＰＣ６３を介して入力可能である。この属性情報は、例えば、治安紊乱行為（Ｄｉｓｏｒｄｅｒｌｙ  Ｃｏｎｄｕｃｔ）、飲酒運転、酩酊状態（Ｄｒｕｎｋｅｎｎｅｓｓ）、薬物乱用、アルコール法律違反（Ｌｉｑｕｏｒ  Ｌａｗ  Ｖｉｏｌａｔｉｏｎｓ）、覗き（Ｐｅｅｐｉｎｇ  Ｔｏｍ）、不法侵入（Ｔｒｅｓｐａｓｓ  ｏｆ  Ｒｅａｌ  Ｐｒｏｐｅｒｔｙ）、窃盗、公共物破壊（Ｖａｎｄａｌｉｓｍ）、武器所持（Ｗｅａｐｏｎｓ）、その他の違反・犯罪（Ａｌｌ  ｏｔｈｅｒ  Ｏｆｆｅｎｓｅｓ）、の情報を含む。
【０１３１】
従って、警察官７は、例えば、車載カメラ６１により撮像された映像データに対して、ウェアラブルカメラ１０が使用する属性情報よりも詳細な属性情報を付与でき、実際の現場８の状況により適した属性情報を付与可能である。
【０１３２】
図１２は、録画データのデータ構造の一例を示す模式図である。録画データは、録画された映像データと、この映像データに対応するメタ情報とを含む。メタ情報については後述するが、メタ情報は属性情報を含む。ウェアラブルカメラ１０により撮像され録画された録画データと、車載カメラ６１により撮像され、車載レコーダ６２により録画された録画データとは、同様の形式である。
【０１３３】
次に、録画映像リストのデータ構造について説明する。ウェアラブルカメラ１０により撮像された映像データに係る録画映像リストは、ウェアラブルカメラ１０の記憶部１５に保持される。車載カメラ６１により撮像された映像データに係る録画映像リストは、車載レコーダ６２のＳＳＤ１１１に保持される。
【０１３４】
図１３は、ウェアラブルカメラ１０が保持する録画映像リストのデータ構造の一例を示す模式図である。
【０１３５】
ウェアラブルカメラ１０は、録画中又は録画後に、属性情報付与スイッチＳＷ３の操作入力を検出すると、録画対象の映像データに関連する属性情報を生成し、属性情報を含むメタ情報を記憶部１５に記憶する。即ち、記憶部１５に記憶される録画データには、映像データとメタ情報とが含まれる。ウェアラブルカメラ１０は、サーバＳＶ１〜ＳＶ３に映像データを転送する場合、映像データとメタ情報とを含む録画データを転送して蓄積する。尚、映像データとメタ情報とが別々に転送されてもよい。
【０１３６】
映像データに関連するメタ情報は、例えば、図１３に示すような録画映像リストの形で記憶される。録画映像リストのメタ情報は、映像位置情報（映像時刻情報）、Ｃａｒ  ＩＤ、Ｏｆｆｉｃｅｒ  ＩＤ、属性情報（事件カテゴリ）、録画開始要因、その他、の情報を含む。
【０１３７】
映像データとメタ情報とは、映像データＩＤによって紐付けされる。映像データＩＤは、録画された映像データを識別するための識別情報である。映像データＩＤは、例えば、録画開始時、録画中、又は録画終了時に映像データに対して付与される。映像データＩＤは、例えば、映像データの録画開始時刻、ファイル名、その他のＩＤを含む。
【０１３８】
映像位置情報は、メタ情報が映像データに対して付与された時刻情報であり、つまり、属性情報付与スイッチＳＷ３の操作入力が検出された時刻（属性情報付与時ともいう）の情報である。
【０１３９】
Ｃａｒ  ＩＤは、個々のパトカー６を識別するための識別情報である。Ｏｆｆｉｃｅｒ  ＩＤは、ウェアラブルカメラ１０を使用する警察官７の識別情報である。Ｃａｒ  ＩＤとＯｆｆｉｃｅｒ  ＩＤとが設定されることで、どのパトカー６を使用するどの警察官７が、ウェアラブルカメラ１０を用いて映像データを録画したかを判別できる。
【０１４０】
事件カテゴリは、映像データの種別を識別するための分類情報であり、図１０に示した属性情報の設定内容に基づき、属性選択スイッチＳＷ４に従って付与される。
【０１４１】
録画開始要因は、映像データの録画が開始された要因を示す。録画開始要因は、例えば、録画スイッチＳＷ１又はスナップショットスイッチＳＷ２の押下検出、ウェアラブルカメラ１０が備えるセンサ（図示せず、例えば加速度センサ）、ＲＴＣ１７、又はＧＰＳ１８の情報に基づく録画開始トリガの検出、車載システム連動、を含む。
【０１４２】
車載システム連動は、車載システム６０とウェアラブルカメラ１０とが連携し、車載レコーダ６２からの録画開始指示に応じて、ウェアラブルカメラ１０が録画開始したことを示す。
【０１４３】
その他の情報は、例えば、ＧＰＳ情報を含む。ＧＰＳ情報は、映像データの録画が行われた場所を示す位置情報であり、例えば属性情報付与時の現在位置情報をＧＰＳ１８から取得して付与する。
【０１４４】
上記のウェアラブルカメラ１０が付与するメタ情報は、例えば、ＭＣＵ１９の処理によって付与され、ウェアラブルカメラ１０により撮像された映像データと関連付けて記憶部１５に記憶される。
【０１４５】
尚、図１３では図示していないが、１つの映像データ、つまり１つの映像データＩＤに対して、１つ以上のメタ情報が付与されてもよい。例えば、警察官７が飲酒運転の取り締まり中に、薬物乱用の場面に遭遇した場合、映像データの録画を継続したまま属性情報付与スイッチＳＷ３を２回以上、操作入力することで、ウェアラブルカメラ１０は、１つの映像データに対してメタ情報を２つ以上付与できる。
【０１４６】
図１４は、車載レコーダ６２が保持する録画映像リストのデータ構造の一例を示す模式図である。
【０１４７】
車載レコーダ６２が保持する録画映像リストについても、映像データに対する属性情報を含むメタ情報を含む。メタ情報の内容は、図１３に示したメタ情報の内容と同様である。
【０１４８】
ただし、車載レコーダ６２は、ウェアラブルカメラ１０が付与する属性情報よりも多種類の属性情報（事件カテゴリ）を付与可能である。車載レコーダ６２での属性情報は、例えば、車載ＰＣ６３の入力部２０５により入力され、車載ＰＣ６３から取得される。また、車載レコーダ６２は、録画開始要因の情報として、属性情報の付与ボタンの押下検出、車載システム６０が備えるセンサ（図示せず、例えば、速度センサ、加速度センサ、扉開閉センサ）、ＲＴＣ１７、又はＧＰＳ１０７の情報に基づく録画開始トリガの検出、ＷＣＡＭ連動、を含む。
【０１４９】
ＷＣＡＭ連動は、車載システム６０とウェアラブルカメラ１０とが連携し、ウェアラブルカメラ１０からの録画開始指示に応じて、車載レコーダ６２の指示により車載カメラ６１が録画開始したことを示す。
【０１５０】
上記の車載レコーダ６２が付与するメタ情報は、例えば、ＣＰＵ１０１の処理によって付与され、車載カメラ６１により撮像された映像データと関連付けてＳＳＤ１１１に記憶される。
【０１５１】
次に、ウェアラブルカメラシステム１００の動作例について説明する。
【０１５２】
図１５は、ウェアラブルカメラシステム１００による属性情報付与手順の第１例を示すシーケンス図である。図１５では、ウェアラブルカメラ１０が、車載レコーダ６２より先に録画を開始し、車載レコーダ６２より先に属性情報を付与することを想定する。
【０１５３】
尚、図１５では、車載レコーダ６２とウェアラブルカメラ１０とが無線ＬＡＮにより無線接続されることを例示するが、他の方法により無線接続されてもよいし、有線接続されてもよい。
【０１５４】
まず、車載レコーダ６２とウェアラブルカメラ１０とが相互に通信相手を検出し、車載レコーダ６２とウェアラブルカメラ１０との間で通信リンクを確立する（Ｓ１）。具体的には、車載レコーダ６２のＣＰＵ１０１とウェアラブルカメラ１０のＭＣＵ１９とが、例えば無線ＬＡＮのＳＳＩＤ及びパスワードを用いてペアリング処理を行うことで、通信相手を検出する。
【０１５５】
また、車載レコーダ６２の無線通信部１０２とウェアラブルカメラ１０の通信部２１とが、例えば、相互に、保持しているＣａｒ  ＩＤ及びＯｆｆｉｃｅｒ  ＩＤを交換し、自装置と通信相手の装置が保持するＣａｒ  ＩＤ及びＯｆｆｉｃｅｒ  ＩＤが一致した場合に、通信リンクを確立する。
【０１５６】
尚、車載レコーダ６２の無線通信部１０２とウェアラブルカメラ１０の通信部２１とは、Ｃａｍｅｒａ  ＩＤ及びＯｆｆｉｃｅｒ  ＩＤの一致を確認せずに、通信相手が検出されたことで通信リンクを確立してもよい。例えば、警察官７が車載ＰＣ６３にログインしていない場合、車載レコーダ６２にＣａｍｅｒａ  ＩＤ及びＯｆｆｉｃｅｒ  ＩＤが操作入力されないので、車載レコーダ６２にＣａｍｒａ  ＩＤ及びＯｆｆｉｃｅｒ  ＩＤが保持されない。
【０１５７】
この場合でも、車載システム６０とウェアラブルカメラ１０との間で通信リンクを確立できる。例えば、出動時の警察官７とパトカー６との組み合わせが毎回異なり、定まっていない場合でも、車載レコーダ６２とウェアラブルカメラ１０とを無線ＬＡＮ等を用いて簡単に接続できる。
【０１５８】
ウェアラブルカメラ１０では、ＭＣＵ１９が、録画開始トリガを検出すると、撮像部１１により撮像された映像データの録画を開始し、記憶部１５への映像データの記憶を開始させる（Ｓ２）。
【０１５９】
ウェアラブルカメラ１０の録画開始トリガは、例えば、ＭＣＵ１９による録画スイッチＳＷ１又はスナップショットスイッチＳＷ２の押下検出、通信部２１による車載レコーダ６２とウェアラブルカメラ１０との無線接続が切断されたことの検出、加速度センサによる衝撃の検出（つまり所定閾値以上の加速度の変化の検出）、ＧＰＳ１８による警察官７が所定のエリアに所在することの検出、ＧＰＳ１８による警察官７が走り出したことの検出、を含む。この加速度センサによる衝撃の検出は、例えば、警察官７が走り出したこと、転倒したことの検出を含む。
【０１６０】
通信部２１は、ＭＣＵ１９により映像データの録画を開始した際、録画を開始した旨を含む録画開始メッセージ（例えば「ＲＥＣ  ＳＴＡＲＴ」のメッセージ）を、通信相手としての車載レコーダ６２へ通知する（Ｓ３）。
【０１６１】
車載レコーダ６２では、無線通信部１０２は、車載レコーダ６２から録画開始メッセージを受信すると、ＣＰＵ１０１は、車載カメラ６１により撮像された映像データの録画を開始し、ＳＳＤ１１１への映像データの記憶を開始させる（Ｓ４）。
【０１６２】
このように、ウェアラブルカメラ１０の録画開始と連携して車載レコーダ６２の録画を開始することで、例えば、現場８への到着後に事件が発生し、パトカー６内の車載カメラ６１による録画が開始されていなかった場合でも、車載カメラ６１により現場８の映像データを記録し、後のタイミングにおいて確認できる。
【０１６３】
ウェアラブルカメラ１０及び車載レコーダ６２による録画開始後に、ウェアラブルカメラ１０において、ＭＣＵ１９は、録画停止トリガを検出すると、撮像部１１により撮像された映像データの録画を停止し、記憶部１５への映像データの記憶を停止させる（Ｓ５）。
【０１６４】
ウェアラブルカメラ１０の録画停止トリガは、例えば、録画中においてＭＣＵ１９による録画スイッチＳＷ１の操作検出、ウェアラブルカメラ１０による録画開始から所定時間が経過したことを検出、を含む。
【０１６５】
通信部２１は、ＭＣＵ１９により映像データの録画を停止した際、録画を停止した旨を含む録画停止メッセージ（例えば「ＲＥＣ  ＳＴＯＰ」のメッセージ）を、通信相手としての車載レコーダ６２へ通知する（Ｓ６）。
【０１６６】
車載レコーダ６２では、無線通信部１０２は、ウェアラブルカメラ１０から録画停止メッセージを受信すると、ＣＰＵ１０１は、車載カメラ６１により撮像された映像データの録画を停止し、ＳＳＤ１１１への映像データの記憶を停止させる（Ｓ７）。
【０１６７】
このように、ウェアラブルカメラ１０の録画停止と連携して車載レコーダ６２の録画を停止することで、例えば、録画停止のためにボタン１０９の押下操作を失念した場合でも、車載カメラ６１により撮像された映像データの記録を停止できる。従って、映像データの記録停止を失念することによる不要な電力消費やメモリ消費を低減できる。
【０１６８】
尚、図１５では、Ｓ５，Ｓ６でウェアラブルカメラ１０が録画を停止して録画停止メッセージを送信し、Ｓ７で車載レコーダ６２が録画停止メッセージを受信して録画を停止することを例示した。この代わりに、Ｓ５，Ｓ６で車載レコーダ６２が録画を停止して録画停止メッセージを送信し、Ｓ７でウェアラブルカメラ１０が録画停止メッセージを受信して録画を停止してもよい。
【０１６９】
尚、Ｓ５〜Ｓ７の処理は省略されてもよい。つまり、ウェアラブルカメラ１０と車載レコーダ６２との録画停止連携がされなくてもよい。
【０１７０】
また、ウェアラブルカメラ１０では、Ｓ２での録画開始後に、ＭＣＵ１９は、撮像部１１により撮像されＭＣＵ１９により録画された映像データに対して、この映像データに関連する属性情報を付与する（Ｓ８）。この属性情報の付与では、ＭＣＵ１９は、属性選択スイッチＳＷ４により選択された属性情報を、ウェアラブルカメラ１０により録画された映像データに関連付けて記憶部１５に記憶させる。
【０１７１】
通信部２１は、ＭＣＵ１９により上記属性情報を付与すると、この属性情報を含む属性情報メッセージを、通信相手としての車載レコーダ６２へ通知する（Ｓ９）。
【０１７２】
車載レコーダ６２では、無線通信部１０２は、ウェアラブルカメラ１０から属性情報メッセージを受信する。そして、ＣＰＵ１０１は、車載カメラ６１により撮像され車載レコーダ６２により録画された映像データに対して、この映像データに関連する属性情報として、受信された属性情報を付与する（Ｓ１０）。この属性情報の付与では、ＣＰＵ１０１は、ウェアラブルカメラ１０から取得した属性情報（つまり属性選択スイッチＳＷ４により選択された属性情報）を、車載レコーダ６２により録画された映像データに関連付けてＳＳＤ１１１に記憶させる。尚、ウェアラブルカメラ１０及び車載レコーダ６２において同一の属性情報が付与されるそれぞれの映像データは、例えば、同じ時間帯又は近い時間帯に録画された映像データである。
【０１７３】
尚、図１５では、ウェアラブルカメラ１０による録画停止後に、属性情報メッセージが通知されることを例示したが、ウェアラブルカメラ１０による録画中に、属性情報メッセージが通知されてもよい。
【０１７４】
このように、ウェアラブルカメラ１０による属性情報の付与と連携して車載レコーダ６２による属性情報の付与を行うことで、車載レコーダ６２での属性情報の付与のために、警察官７が車載ＰＣ６３に対して操作入力する手間を省くことができる。この場合でも、警察官７は、後のタイミングで、必要な映像データを、付与された属性情報を用いて容易に検索できる。
【０１７５】
また、１つの映像データに対して複数のメタ情報を付与可能であるので、１つの映像データに対して複数の属性情報を付与可能である。即ち、車載カメラ６１により撮像された映像データに対して、車載ＰＣ６３を介して入力された属性情報（例えば「不法侵入」）と、属性付与スイッチＳＷ３の操作に応じた属性情報（例えば「窃盗」）と、の双方が付与されてもよい。これにより、ウェアラブルカメラシステム１００は、映像データの内容を更に高精度に判別できる。
【０１７６】
図１６は、ウェアラブルカメラシステム１００による属性情報付与手順の第２例を示すシーケンス図である。図１６では、ウェアラブルカメラ１０が、車載レコーダ６２より先に録画を開始し、車載レコーダ６２より後に属性情報を付与することを想定する。尚、図１６の動作例において、図１５の動作例と同様の処理については、同一のステップ番号を付し、説明を省略又は簡略化する。
【０１７７】
まず、ウェアラブルカメラシステム１００は、Ｓ１〜Ｓ７の処理を行う。
【０１７８】
車載レコーダ６２では、Ｓ４での録画開始後に、ＣＰＵ１０１は、車載カメラ６１により撮像され車載レコーダ６２により録画された映像データに対して、この映像データに関連する属性情報を付与する（Ｓ８Ａ）。この属性情報の付与では、ＣＰＵ１０１は、車載ＰＣ６３を介して入力された属性情報を、車載レコーダ６２により録画された映像データに関連付けてＳＳＤ１１１に記憶させる。
【０１７９】
無線通信部１０２は、ＣＰＵ１０１により上記属性情報を付与すると、この属性情報を含む属性情報メッセージを、通信相手としてのウェアラブルカメラ１０へ通知する（Ｓ９Ａ）。
【０１８０】
ウェアラブルカメラ１０では、通信部２１は、車載レコーダ６２から属性情報メッセージを受信する。そして、ＭＣＵ１９は、撮像部１１により撮像されＭＣＵ１９により録画された映像データに対して、この映像データに関連する属性情報として、受信された属性情報を付与する（Ｓ１０Ａ）。この属性情報の付与では、ＭＣＵ１９は、車載レコーダ６２から取得した属性情報（つまり車載ＰＣ６３を介して入力された属性情報）を、ウェアラブルカメラ１０により録画された映像データに関連付けて記憶部１５に記憶させる。尚、ウェアラブルカメラ１０及び車載レコーダ６２において同一の属性情報が付与されるそれぞれの映像データは、例えば、同じ時間帯又は近い時間帯に録画された映像データである。
【０１８１】
尚、図１６では、車載レコーダ６２による録画停止後に、属性情報メッセージが通知されることを例示したが、車載レコーダ６２による録画中に、属性情報メッセージが通知されてもよい。
【０１８２】
このように、車載レコーダ６２による属性情報の付与と連携してウェアラブルカメラ１０による属性情報の付与を行うことで、属性選択スイッチＳＷ４に割り当てられた属性情報以外の属性情報を付与でき、ウェアラブルカメラ１０での属性情報の付与を拡張できる。また、車載レコーダ６２はウェアラブルカメラ１０よりも多種類の属性情報を付与可能であるので、現場８での事件内容がウェアラブルカメラ１０での属性情報と合致しない場合やウェアラブルカメラ１０での属性情報では詳細を示せない場合でも、上記事件内容と付与される属性情報との関連性を高めることができる。
【０１８３】
また、１つの映像データに対して複数のメタ情報を付与可能であるので、１つの映像データに対して複数の属性情報を付与可能である。ウェアラブルカメラ１０により撮像された映像データに対して、属性付与スイッチＳＷ３の操作に応じた属性情報（例えば「飲酒運転」）と、車載ＰＣ６３を介して入力された属性情報（例えば「公共物破壊」）と、の双方が付与されてもよい。これにより、ウェアラブルカメラシステム１００は、映像データの内容を更に高精度に判別できる。また、上記双方の属性情報が付与されず、属性付与スイッチＳＷ３の操作により付与された属性情報が、車載ＰＣ６３を介して入力された属性情報で置換されてもよい。
【０１８４】
図１７は、ウェアラブルカメラシステム１００による属性情報付与手順の第３例を示すシーケンス図である。図１７では、ウェアラブルカメラ１０が、車載レコーダ６２より後に録画を開始し、車載レコーダ６２より後に属性情報を付与することを想定する。尚、図１７の動作例において、図１５又は図１６の動作例と同様の処理については、同一のステップ番号を付し、説明を省略又は簡略化する。
【０１８５】
まず、ウェアラブルカメラシステム１００は、Ｓ１の処理を行う。
【０１８６】
車載レコーダ６２では、ＣＰＵ１０１が、録画開始トリガを検出すると、車載カメラ６１により撮像された映像データの録画を開始し、ＳＳＤ１１１への映像データの記憶を開始させる（Ｓ２Ｂ）。
【０１８７】
車載レコーダ６２の録画開始トリガは、例えば、ボタン１０９の押下検出、ＣＰＵ１０１によるパトカー６のパトランプの点灯鳴動開始の検出、速度センサによるパトカー６の走行速度が所定速度（例えば１００ｋｍ／ｈ）以上であることの検出、加速度センサによる衝撃の検出（つまり所定閾値以上の加速度の変化の検出）、無線通信部１０２によるウェアラブルカメラ１０との通信が不能な通信圏外であることの検出、を含む。
【０１８８】
無線通信部１０２は、ＣＰＵ１０１により映像データの録画を開始した際、録画を開始した旨を含む録画開始メッセージ（例えば「ＲＥＣ  ＳＴＡＲＴ」のメッセージ）を、通信相手としてのウェアラブルカメラ１０へ通知する（Ｓ３Ｂ）。
【０１８９】
ウェアラブルカメラ１０では、通信部２１は、車載レコーダ６２から録画開始メッセージを受信すると、ＭＣＵ１９は、撮像部１１により撮像された映像データの録画を開始し、記憶部１５への映像データの記憶を開始させる（Ｓ４Ｂ）。
【０１９０】
このように、車載レコーダ６２の録画開始と連携してウェアラブルカメラ１０の録画を開始することで、例えば、警察官７が緊急対応のためにウェアラブルカメラ１０の録画スイッチＳＷ１又はスナップショットスイッチＳＷ２による録画開始操作を失念した場合でも、現場８の映像データを記録し、後のタイミングにおいて確認できる。
【０１９１】
尚、車載レコーダ６２は、録画開始トリガが検出された際に、例えば、車載レコーダ６２とウェアラブルカメラ１０との距離が長く、無線ＬＡＮによる通信圏外である場合、録画開始メッセージを無線接続の復帰後に送信してもよい。
【０１９２】
また、ウェアラブルカメラ１０は、録画開始メッセージを受信した後に直ぐに録画開始しなくてもよい。例えば、ウェアラブルカメラ１０は、パトカー６の走行中に録画開始メッセージを受信した時点では録画開始せず、パトカー６を離れて車載レコーダ６２との無線接続が切断されたことを検出した際に、録画開始してもよい。これにより、録画された映像データを蓄積する記憶部１５のリソースを効率良く使用できる。
【０１９３】
車載レコーダ６２及びウェアラブルカメラ１０による録画開始後に、車載レコーダ６２において、ＣＰＵ１０１は、録画停止トリガを検出すると、車載カメラ６１により撮像された映像データの録画を停止し、ＳＳＤ１１１への映像データの記憶を停止させる（Ｓ５Ｂ）。
【０１９４】
車載レコーダ６２の録画停止トリガは、例えば、録画中においてＣＰＵ１０１によるボタン１０９の押下検出、車載レコーダ６２による録画開始から所定時間が経過したことを検出、を含む。
【０１９５】
無線通信部１０２は、ＣＰＵ１０１により映像データの録画を停止した際、録画を停止した旨を含む録画停止メッセージ（例えば「ＲＥＣ  ＳＴＯＰ」のメッセージ）を、通信相手としてのウェアラブルカメラ１０へ通知する（Ｓ６Ｂ）。
【０１９６】
ウェアラブルカメラ１０では、通信部２１は、車載レコーダ６２から録画停止メッセージを受信すると、ＭＣＵ１９は、撮像部１１により撮像された映像データの録画を停止し、記憶部１５への映像データの記憶を停止させる（Ｓ７Ｂ）。
【０１９７】
このように、車載レコーダ６２の録画停止と連携してウェアラブルカメラ１０の録画を停止することで、例えば、警察官７が緊急対応のためにウェアラブルカメラ１０の録画スイッチＳＷ１による録画停止操作を失念した場合でも、現場８の映像データの記録を停止できる。従って、映像データの記録停止を失念することによる不要な電力消費やメモリ消費を低減できる。
【０１９８】
尚、図１７では、Ｓ５Ｂ，Ｓ６Ｂで車載レコーダ６２が録画を停止して録画停止メッセージを送信し、Ｓ７Ｂでウェアラブルカメラ１０が録画停止メッセージを受信して録画を停止することを例示した。この代わりに、Ｓ５Ｂ，Ｓ６Ｂでウェアラブルカメラ１０が録画を停止して録画停止メッセージを送信し、Ｓ７Ｂで車載レコーダ６２が録画停止メッセージを受信して録画を停止してもよい。
【０１９９】
尚、Ｓ５Ｂ〜Ｓ７Ｂの処理は省略されてもよい。つまり、車載レコーダ６２とウェアラブルカメラ１０との録画停止連携がされなくてもよい。
【０２００】
尚、車載レコーダ６２は、録画停止トリガが検出された際に、例えば、車載レコーダ６２とウェアラブルカメラ１０との距離が長く、無線ＬＡＮによる通信圏外である場合、録画停止メッセージを無線接続の復帰後に送信してもよい。
【０２０１】
また、ウェアラブルカメラシステム１００は、Ｓ２Ｂでの録画開始後に、Ｓ８Ａ〜Ｓ１０Ａの処理を行う。
【０２０２】
尚、図１７では、録画開始メッセージを受けて録画開始するウェアラブルカメラ１０が複数あってもよい。同様に、録画停止メッセージを受けて録画停止するウェアラブルカメラ１０が複数あってもよい。同様に、属性情報メッセージを受けて属性情報を付与するウェアラブルカメラ１０が複数あってもよい。例えば、パトカー６に乗車している警察官７が複数であることも想定される。
【０２０３】
図１８は、ウェアラブルカメラシステム１００による属性情報付与手順の第４例を示すシーケンス図である。図１８では、ウェアラブルカメラ１０が、車載レコーダ６２より後に録画を開始し、車載レコーダ６２より先に属性情報を付与することを想定する。尚、図１８の動作例において、図１５〜図１７の動作例と同様の処理については、同一のステップ番号を付し、説明を省略又は簡略化する。
【０２０４】
ウェアラブルカメラシステム１００は、Ｓ１，Ｓ２Ｂ〜Ｓ７Ｂの処理を行う。また、ウェアラブルカメラシステム１００は、Ｓ４Ｂでの録画開始後に、Ｓ８〜Ｓ１０の処理を行う。
【０２０５】
尚、図１８では、録画開始メッセージを受けて録画開始するウェアラブルカメラ１０が複数あってもよい。同様に、録画停止メッセージを受けて録画停止するウェアラブルカメラ１０が複数あってもよい。同様に、属性情報を付与して属性情報メッセージを通知するウェアラブルカメラ１０が複数あってもよい。例えば、パトカー６に乗車している警察官７が複数であることも想定される。
【０２０６】
尚、図１５〜図１８では、ウェアラブルカメラ１０及び車載レコーダ６２により属性情報が付与されることを例示したが、属性情報を含むメタ情報の一部又は全部が付与されてもよい。また、通信相手に対して属性情報を含む属性情報メッセージが通知されることを例示したが、属性情報を含むメタ情報の一部又は全部を含むメタ情報メッセージが通知されてもよい。これにより、メタ情報の付与についてもウェアラブルカメラ１０及び車載レコーダ６２において連携できる。従って、例えば、ウェアラブルカメラ１０又は車載レコーダ６２は、属性情報メッセージやメタ情報メッセージを受けて、自装置が保持する録画映像リストに新しいメタ情報を追加してもよいし、現存するメタ情報を更新してもよい。
【０２０７】
このように、本実施形態では、ウェアラブルカメラ１０と車載レコーダ６２とが連携して録画開始するので、ウェアラブルカメラ１０及び車載レコーダ６２のいずれか一方において録画開始がされなかった場合でも、ウェアラブルカメラ１０及び車載レコーダ６２のいずれか他方からの録画開始メッセージに応じて、録画開始できる。
【０２０８】
従って、例えば警察官７が緊急対応のため急いでおり、ウェアラブルカメラ１０の録画スイッチＳＷ１の操作入力を失念した場合又は入力できない状態であった場合でも、車載レコーダ６２において録画開始トリガが発生した場合にはウェアラブルカメラ１０での録画も開始できる。
【０２０９】
また、ウェアラブルカメラ１０と車載レコーダ６２とが連携して属性情報の付与を行うので、ウェアラブルカメラ１０及び車載レコーダ６２のいずれか一方において属性情報の付与が行われない場合でも、ウェアラブルカメラ１０及び車載レコーダ６２のいずれか他方からの属性情報メッセージに応じて、属性情報を付与できる。車載レコーダ６２がウェアラブルカメラ１０により付与された属性情報を利用する場合、車載ＰＣ６３を介した属性情報の入力作業を不要化できる。また、ウェアラブルカメラ１０が車載レコーダ６２により付与された属性情報を利用する場合、ウェアラブルカメラ１０に付与可能な属性情報のバリエーションを増大でき、ウェアラブルカメラ１０の属性情報付与機能を拡張できる。
【０２１０】
このように、ウェアラブルカメラシステム１００によれば、ウェアラブルカメラ１０により撮像された映像データを取扱う際の利便性を向上できる。更に、ウェアラブルカメラ１０又は車載カメラ６１により撮像された映像データを、属性情報を用いて簡単に検索や抽出でき、現場８の監視性能や映像データの検証性能を向上できる。
【０２１１】
以上のように、本実施形態のウェアラブルカメラシステム１００は、ユーザが装着可能なウェアラブルカメラ１０と、ユーザが乗車する車両に搭載された車載レコーダ６２と、車両に搭載された車載カメラ６１と、を備える。車載カメラ６１は、映像を撮像する第１の撮像部を備える。車載レコーダ６２は、通信相手としてのウェアラブルカメラ１０との間で通信する第１の通信部と、車載カメラ６１により撮像された第１の映像データを録画する第１の録画部と、第１の映像データに関連する第１の属性情報を、第１の映像データに対して付与する第１の情報付与部と、を備える。ウェアラブルカメラ１０は、映像を撮像する第２の撮像部と、通信相手としての車載レコーダ６２との間で通信する第２の通信部と、第２の撮像部により撮像された第２の映像データを録画する第２の録画部と、第２の映像データに関連する第２の属性情報を、第２の映像データに対して付与する第２の情報付与部と、を備える。
【０２１２】
ウェアラブルカメラ１０は、第２の録画部により録画を開始した後、第２の映像データに対して第２の属性情報を付与して、第２の属性情報を車載レコーダ６２へ送信し、車載レコーダ６２は、第２の属性情報を受信して、第２の属性情報を第１の属性情報として第１の映像データに対して付与する。又は、車載レコーダ６２は、第１の録画部により録画を開始した後、第１の映像データに対して第１の属性情報を付与して、第１の属性情報をウェアラブルカメラ１０へ送信し、ウェアラブルカメラ１０は、第１の属性情報を受信して、第１の属性情報を第２の属性情報として第２の映像データに対して付与する。
【０２１３】
第１の通信部は、例えば無線通信部１０２又は有線通信部１０３である。第１の録画部は、例えばＣＰＵ１０１である。第１の情報付与部は、例えばＣＰＵ１０１である。第２の撮像部は、例えば撮像部１１である。第２の録画部は、例えばＭＣＵ１９である。第２の情報付与部は、例えばＭＣＵ１９である。ユーザは、例えば警察官７である。車両は、例えばパトカー６である。
【０２１４】
これにより、ウェアラブルカメラ１０と車載レコーダ６２とが連携して属性情報を付与するので、ウェアラブルカメラ１０及び車載レコーダ６２のいずれか一方がいずれか他方の属性情報の付与動作を補助し、両装置での属性情報の付与を簡便化できる。例えば、ウェアラブルカメラ１０により付与された属性情報を車載レコーダ６２により付与される属性情報に用いることで、ユーザが、入力装置（例えば車載ＰＣ６３）に対する操作入力を省略できる。また、例えば、車載レコーダ６２により付与された属性情報をウェアラブルカメラ１０により付与される属性情報に用いることで、ウェアラブルカメラ１０で多種類の属性情報を付与できる。従って、ウェアラブルカメラシステム１００は、ウェアラブルカメラ１０や車載カメラ６１により撮像された映像データを取扱う際の利便性を向上できる。
【０２１５】
また、ウェアラブルカメラシステム１００は、車載レコーダ６２及びウェアラブルカメラ１０のいずれか一方が、車載レコーダ６２及びウェアラブルカメラ１０のいずれか一方による録画を開始した際、録画を開始した旨を含む録画開始情報を、車載レコーダ６２及びウェアラブルカメラ１０のいずれか他方へ送信してもよい。車載レコーダ６２及びウェアラブルカメラ１０のいずれか他方は、録画開始情報を受信した後に録画を開始してもよい。
【０２１６】
これにより、ウェアラブルカメラ１０と車載レコーダ６２とが連携して録画開始するので、ウェアラブルカメラ１０及び車載レコーダ６２のいずれか一方がいずれか他方の動作を補助し、両装置での映像データの記録の確実性を向上できる。従って、ウェアラブルカメラシステム１００は、ウェアラブルカメラ１０により撮像された映像データを取扱う際の利便性を向上でき、映像データの録画漏れを低減できる。従って、例えばウェアラブルカメラシステム１００による監視性能や映像データの証拠性能を向上できる。
【０２１７】
また、ウェアラブルカメラシステム１００は、車載レコーダ６２が、第１の属性情報を入力する入力装置から第１の属性情報を取得してもよい。ウェアラブルカメラ１０は、第２の属性情報の付与操作を受け付ける操作部を備えてもよい。入力装置は、例えば車載ＰＣ６３である。操作部は、例えば属性情報付与スイッチＳＷ３である。
【０２１８】
これにより、ウェアラブルカメラシステム１００は、異なる入力方法により入力される属性情報を異なる装置で共有でき、異なる装置で利便性を共有できる。
【０２１９】
また、ウェアラブルカメラシステム１００は、前記第１の属性情報の種類が、前記第２の属性情報の種類よりも多くてもよい。
【０２２０】
これにより、車載レコーダにより映像データの内容をより正確に反映した属性情報を付与でき、この属性情報をウェアラブルカメラ１０へ提供できる。
【０２２１】
また、ウェアラブルカメラシステム１００は、ウェアラブルカメラ１０が、第２の映像データに対して、車載レコーダ６２から受信された第１の属性情報と、操作部により受け付けた第２の属性情報と、の双方を付与してもよい。
【０２２２】
これにより、車載レコーダ６２及びウェアラブルカメラ１０により付与された複数の属性情報を、１つの映像データに対して関連付けできるので、映像データに対して多面的に属性情報の付与を実施できる。従って、ウェアラブルカメラシステム１００は、後のタイミングにおいて様々な観点から属性情報を指定し、属性情報を用いて映像データを検索や抽出できる。
【０２２３】
また、ウェアラブルカメラシステム１００は、車載レコーダ６２が、第１の映像データに対して、ウェアラブルカメラ１０から受信された第２の属性情報と、入力装置から取得された第１の属性情報と、の双方を付与してもよい。
【０２２４】
これにより、車載レコーダ６２及びウェアラブルカメラ１０により付与された複数の属性情報を、１つの映像データに対して関連付けできるので、映像データに対して多面的に属性情報の付与を実施できる。従って、ウェアラブルカメラシステム１００は、後のタイミングにおいて様々な観点から属性情報を指定し、属性情報を用いて映像データを検索や抽出できる。
【０２２５】
また、本実施形態の属性情報付与方法は、ユーザが装着可能なウェアラブルカメラ１０と、ユーザが乗車する車両に搭載された車載レコーダ６２と、車両に搭載された車載カメラ６１と、を備えるウェアラブルカメラシステム１００における方法である。属性情報付与方法は、車載カメラ６１により映像を撮像するステップと、ウェアラブルカメラ１０により映像を撮像するステップと、車載カメラ６１により撮像された第１の映像データを車載レコーダ６２により録画する第１の録画ステップと、ウェアラブルカメラ１０により撮像された第２の映像データをウェアラブルカメラ１０により録画する第２の録画ステップと、第１の映像データに関連する第１の属性情報を第１の映像データに対して付与する第１の情報付与ステップと、第２の映像データに関連する第２の属性情報を第２の映像データに対して付与する第２の情報付与ステップと、車載レコーダ６２とウェアラブルカメラ１０との間で通信する通信ステップと、を有する。
【０２２６】
属性情報付与方法では、第２の録画ステップで第２の映像データの録画を開始した後、第２の情報付与ステップで第２の映像データに対して第２の属性情報を付与し、通信ステップで第２の属性情報をウェアラブルカメラ１０から車載レコーダ６２へ通信し、第１の情報付与ステップで第２の属性情報を第１の属性情報として第１の映像データに対して付与する。又は、属性情報付与方法では、第１の録画ステップで第１の映像データの録画を開始した後、第１の情報付与ステップで第１の映像データに対して第１の属性情報を付与し、通信ステップで第１の属性情報を車載レコーダ６２からウェアラブルカメラ１０へ通信し、第２の情報付与ステップで第１の属性情報を第２の属性情報として第２の映像データに対して付与する。
【０２２７】
これにより、ウェアラブルカメラ１０と車載レコーダ６２とが連携して属性情報を付与するので、ウェアラブルカメラ１０及び車載レコーダ６２のいずれか一方がいずれか他方の属性情報の付与動作を補助し、両装置での属性情報の付与を簡便化できる。例えば、ウェアラブルカメラ１０により付与された属性情報を車載レコーダ６２により付与される属性情報に用いることで、ユーザが、入力装置（例えば車載ＰＣ６３）に対する操作入力を省略できる。また、例えば、車載レコーダ６２により付与された属性情報をウェアラブルカメラ１０により付与される属性情報に用いることで、ウェアラブルカメラ１０で多種類の属性情報を付与できる。従って、ウェアラブルカメラシステム１００は、ウェアラブルカメラ１０や車載カメラ６１により撮像された映像データを取扱う際の利便性を向上できる。
【０２２８】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、本発明の趣旨を逸脱しない範囲において、上記実施形態における各構成要素を任意に組み合わせてもよい。
【産業上の利用可能性】
【０２２９】
本発明は、ウェアラブルカメラや車載カメラにより撮像した映像データを取扱う上での利便性を向上できるウェアラブルカメラシステム及び属性情報付与方法等として有用である。
【符号の説明】
【０２３０】
１００  ウェアラブルカメラシステム
１００Ａ  フロントエンドシステム
１００Ｂ  バックエンドシステム
５  警察署
６  パトカー
７  警察官
８  現場
１０  ウェアラブルカメラ
１０Ａ  ウェアラブルカメラの筐体
１１  撮像部
１２  ＧＰＩＯ
１３  ＲＡＭ
１４  ＲＯＭ
１５  記憶部
１６  ＥＥＰＲＯＭ
１７  ＲＴＣ
１８  ＧＰＳ
１９  ＭＣＵ
２１  通信部
２２  ＵＳＢ
２２ａ  ＵＳＢコネクタ
２３  コンタクトターミナル
２４  電源部
２５  バッテリ
２６ａ，２６ｂ，２６ｃ  ＬＥＤ
２７  バイブレータ
６０  車載システム
６１  車載カメラ
６２  車載レコーダ
６３  車載ＰＣ
７０  管理ソフトウェア
７１  署内ＰＣ
１０１  ＣＰＵ
１０２  無線通信部
１０３  有線通信部
１０４  フラッシュＲＯＭ
１０５  ＲＡＭ
１０６  μＣＯＮ
１０７  ＧＰＳ
１０８  ＧＰＩＯ
１０９  ボタン
１１０  ＬＥＤ
１１１  ＳＳＤ
１１２  ＲＳ−２３２Ｃ接続部
２０１  ＣＰＵ
２０２  Ｉ／Ｏ制御部
２０３  通信部
２０４  メモリ
２０５  入力部
２０６  表示部
２０７  スピーカ
２０８  ＨＤＤ
ＳＶ１，ＳＶ２，ＳＶ３  サーバ
ＳＷ１  録画スイッチ
ＳＷ２  スナップショットスイッチ
ＳＷ３  属性情報付与スイッチ
ＳＷ４  属性選択スイッチ
ＳＷ５  通信モードスイッチ
ＳＷ６  インジケータスイッチ
【要約】
【課題】ウェアラブルカメラや車載カメラにより撮像した映像データを取扱う上での利便性を向上できるウェアラブルカメラシステムを提供する。
【解決手段】ウェアラブルカメラシステムは、ユーザが装着可能なウェアラブルカメラと、ユーザが乗車する車両に搭載された車載レコーダと、車両に搭載された車載カメラと、を備える。ウェアラブルカメラは、第２の録画部により録画を開始した後、前記第２の映像データに対して第２の属性情報を付与して、第２の属性情報を車載レコーダへ送信し、車載レコーダは、第２の属性情報を受信して、第２の属性情報を第１の属性情報として第１の映像データに対して付与する。又は、車載レコーダは、第１の録画部により録画を開始した後、第１の映像データに対して第１の属性情報を付与して、第１の属性情報をウェアラブルカメラへ送信し、ウェアラブルカメラは、第１の属性情報を受信して、第１の属性情報を第２の属性情報として第２の映像データに対して付与する。
【選択図】図１５【図１】
0005856702.tif 000002
【図２】
0005856702.tif 000003
【図３】
0005856702.tif 000004
【図４】
0005856702.tif 000005
【図５】
0005856702.tif 000006
【図６】
0005856702.tif 000007
【図７】
0005856702.tif 000008
【図８】
0005856702.tif 000009
【図９】
0005856702.tif 000010
【図１０】
0005856702.tif 000011
【図１１】
0005856702.tif 000012
【図１２】
0005856702.tif 000013
【図１３】
0005856702.tif 000014
【図１４】
0005856702.tif 000015
【図１５】
0005856702.tif 000016
【図１６】
0005856702.tif 000017
【図１７】
0005856702.tif 000018
【図１８】
0005856702.tif 000019